(57)【要約】【課題】一定の固定した内容ではなく、その時々に応じた内容の表示を容易に行うことのできる遊技機用装飾具を提供する。【解決手段】メダルゲーム機１０の筐体１２に取り付けられ、メダルゲーム機１０を装飾する遊技機用装飾具４２であって、所定の筆記具により書き込みを行うために装飾を施さない書き込み領域４６と、書き込み領域４６に隣接し、装飾を施す装飾領域４４とからなり、書き込み領域４６は、書き込みの消去が可能な素材でコーティングされている。【選択図】図１
0003130019.tif 000002
【実用新案登録請求の範囲】
【請求項１】
遊技機の筐体に取り付けられ、前記遊技機を装飾する遊技機用装飾具であって、
所定の筆記具により書き込みを行うために装飾を施さない書き込み領域と、
前記書き込み領域に隣接し、装飾を施す装飾領域とからなり、
前記書き込み領域は、書き込みの消去が可能な素材でコーティングされていることを特徴とする遊技機用装飾具。
【請求項２】
請求項１において、
前記書き込み領域の周囲には書き込み領域を示す枠が設けられていることを特徴とする遊技機用装飾具。
【請求項３】
請求項１または２において、
予め印刷が施された印刷シートが準備され、
前記印刷シートが前記書き込み領域に貼り付け可能にされていることを特徴とする遊技機用装飾具。
【請求項４】
遊技機の筐体に取り付けられ、前記遊技機を装飾する遊技機用装飾具であって、
所定の筆記具により書き込みの消去が可能なシートと、
前記シートを貼り付けるために装飾を施さない貼り付け領域と、
前記貼り付け領域に隣接し、装飾を施す装飾領域とからなり、
前記貼り付け領域は、シートの取り外しが可能にされていることを特徴とする遊技機用装飾具。
【請求項５】
請求項４において、
前記貼り付け領域には、貼り付け領域を示す枠が設けられていることを特徴とする遊技機用装飾具。
【請求項６】
請求項４または５において、
前記貼り付け領域には、予め所定の書き込みがなされていることを特徴とする遊技機用装飾具。
【請求項７】
請求項４〜６のいずれかにおいて、
予め印刷が施された印刷シートが準備され、
前記印刷シートが前記貼り付け領域に貼り付け可能にされていることを特徴とする遊技機用装飾具。
【考案の詳細な説明】
【技術分野】
【０００１】
本考案は、遊技機の筐体に取り付けられる遊技機用装飾具に関する。
【背景技術】
【０００２】
一般に、遊技機として、メダルゲーム機や景品獲得ゲーム機などが知られている。
【０００３】
メダルゲーム機では、例えば、筐体の正面上部にゲーム盤面を設け、このゲーム盤面の下端位置に前後方向で往復移動を行うプッシャープレートを有するメダル載置用のゲームフィールドを設け、メダル投入口からメダルを投入すると、ゲーム盤面の上部からメダルが放出され、そのメダルがゲーム盤面の釘に邪魔されながら下方に移動し、途中に設けられたチャッカー部を通過すると、チャッカー部の位置に応じてゲーム盤面に設けられた表示部に表示されるゲームが進行し、このゲームの結果に応じてメダルがゲームフィールドに払い出され、ゲームフィールド上のメダルがプッシャープレートによって押し出されて落下することで、メダルを獲得するようにしたものがある（特許文献１参照）。
【０００４】
このようなメダルゲーム機では、表示部に表示されるゲームの内容に関連した装飾が筐体に施されることが多い。
【０００５】
また、景品獲得ゲーム機では、載置された景品に関連した装飾が筐体に施されることが多い。
【特許文献１】特開２００３−１４４７４１号公報
【考案の開示】
【考案が解決しようとする課題】
【０００６】
このようなゲーム機においては、ゲーム内容や景品等に関連した一定の装飾がなされて、その面での顧客に対するアピールがなされているが、その時々に応じて変動する内容のものを表示しようとする場合には、その都度別途紙等に書いて、それを筐体に貼り付けるようにしているのが現状である。
【０００７】
本考案の目的は、一定の固定した内容ではなく、その時々に応じた内容の表示を容易に行うことのできる遊技機用装飾具を提供することにある。
【課題を解決するための手段】
【０００８】
（１）前記目的を達成するため、本考案の遊技機用装飾具は、遊技機の筐体に取り付けられ、前記遊技機を装飾する遊技機用装飾具であって、
所定の筆記具により書き込みを行うために装飾を施さない書き込み領域と、
前記書き込み領域に隣接し、装飾を施す装飾領域とからなり、
前記書き込み領域は、書き込みの消去が可能な素材でコーティングされていることを特徴とする。
【０００９】
本考案によれば、遊技用装飾具に書き込みの消去が可能な素材でコーティングされた書き込み領域を設け、この書き込み領域に所定の筆記具により書き込みを行うことで、別途紙等に書いて貼ることなく、一定の固定された表示以外の表示を容易に行うことができ、しかも、書き込みの消去を可能にすることで、その時々に応じて変動する内容のものを何度でも容易に表示することができる。
【００１０】
（２）本考案においては、（１）において、前記書き込み領域の周囲には書き込み領域を示す枠が設けられるようにすることができる。
【００１１】
このような構成とすることにより、枠により書き込みできる領域を明瞭にすることができ、しかも、書き込んだ内容をアピールすることができる。
【００１２】
（３）本考案においては、（１）または（２）において、予め印刷が施された印刷シートが準備され、前記印刷シートが前記書き込み領域に貼り付け可能にされるようにすることができる。
【００１３】
このような構成とすることにより、予め複数の所定の表示内容を複数枚印刷しておくことで、定型の印刷シートを取り替えるだけで、表示内容を容易に変更することが可能となる。
【００１４】
（４）本考案の他の遊技機用装飾具は、遊技機の筐体に取り付けられ、前記遊技機を装飾する遊技機用装飾具であって、
所定の筆記具により書き込みの消去が可能なシートと、
前記シートを貼り付けるために装飾を施さない貼り付け領域と、
前記貼り付け領域に隣接し、装飾を施す装飾領域とからなり、
前記貼り付け領域は、シートの取り外しが可能にされていることを特徴とする。
【００１５】
本考案によれば、所定の筆記具により書き込みの消去が可能なシートを装飾を施さない貼り付け領域に貼り付けることで、別途紙等に書いて貼ることなく、各種の表示を容易に行うことができ、しかも、書き込みの消去を可能にすることで、その時々に応じて変動する内容のものを何度でも容易に表示することができる。
【００１６】
（５）本考案においては、（４）において、前記貼り付け領域には、貼り付け領域を示す枠が設けられるようにすることができる。
【００１７】
このような構成とすることにより、枠により貼り付けできる領域を明瞭にすることができ、しかも、書き込んだ内容をアピールすることができる。
【００１８】
（６）本考案においては、（４）または（５）において、前記貼り付け領域には、予め所定の書き込みがなされるようにすることができる。
【００１９】
このような構成とすることにより、貼り付け領域に予め書き込まれた内容で表示を行い、それ以外の表示はシートに書き込んで容易に表示できることとなる。
【００２０】
（７）本考案においては、（４）〜（６）のいずれかにおいて、予め印刷が施された印刷シートが準備され、前記印刷シートが前記貼り付け領域に貼り付け可能にされるようにすることができる。
【００２１】
このような構成とすることにより、予め複数の所定の表示内容を複数枚印刷しておくことで、定型の印刷シートを取り替えるだけで、表示内容を容易に変更することが可能となる。
【考案を実施するための最良の形態】
【００２２】
以下、本考案の実施の形態について、図面を参照して説明する。
【００２３】
図１〜図３は、本考案の一実施の形態にかかる遊技機用装飾具を示す図である。
【００２４】
図１は、遊技機用装飾具を取り付けたメダルゲーム機を示す全体斜視図である。
【００２５】
このメダルゲーム機１０はメダルプッシャーゲームを行うもので、筐体１２内の正面上部にゲーム盤面１４が設けられ、このゲーム盤面１４の下端位置に前後方向で往復移動を行うプッシャープレート１６を有するメダル載置用のゲームフィールド１８が設けられている。
【００２６】
また、筐体１２の上下方向略中央前方には操作部２０が設けられ、この操作部２０にメダル投入口２２及びメダル３０を貯留するメダル貯留部２５が設けられ、このメダル貯留部２５に筐体１２内のメダル３０を払い出すための払出口２４が、操作部２０の上方に隣接するように筐体１２の前面に設けられている。
【００２７】
ゲーム盤面１４には、表示部２６と、チャッカー部２８と、チャッカー部２８へのメダル３０の進路を邪魔する複数の釘３２と、ゲーム盤面１４の両側上方に配置された放出口３６から放出されたメダル３０の放出方向を変更するワイパー３４とが設けられている。
【００２８】
放出口３６から放出されたメダル３０は、ワイパー３４によって振り分けられ、釘３２によって邪魔されながら下方へと移動し、メダル３０がチャッカー部２８を通過すると、チャッカー部２８の内側に設けたセンサー（図示せず）がメダル３０の通過を検出する。
【００２９】
そして、メダル３０が通過したチャッカー２８の位置に応じて、表示部２６に表示されるゲームが進行し、このゲームの結果に応じて、筐体１２内に設置したメダル払い出し用の払出ホッパー７４からメダル３０がゲームフィールド１８上に払い出されるようになっている。
【００３０】
ゲームフィールド１８上に払い出されたメダル３０及びゲーム盤面１４を通過したメダル３０は、プッシャープレート１６の往復移動によって、ゲームフィールド１８上から落下して払出口２４から払い出され、メダル貯留部２５に貯留されるようになっている。
【００３１】
なお、筐体１２の側部で、操作部２０の下部位置には、メダル投入口２２から投入されたメダル３０の返却口３８が設けられている。
【００３２】
メダル投入口２２は、操作部２０の両側にそれぞれ１つずつ設けられ、メダル貯留部２５は、２つのメダル投入口２２の間に１ヶ所設けられた状態となっており、２人のプレーヤがメダル貯留部２５を共通にして同時にゲームを楽しむことができるようになっている。
【００３３】
また、表示部２６に表示されるゲームは、例えば所定のキャラクタがゲーム進行を行うようになっており、このゲームの内容と関連づけられた所定のキャラクタ等の装飾４０が筐体１２の表面に施されると共に、筐体１２の上部に遊技機用装飾具４２が取り付けられるようになっている。
【００３４】
この遊技機用装飾具４２は、所定の筆記具により書き込みを行うために装飾を施さない書き込み領域４６と、この書き込み領域４６に隣接して装飾を施すための装飾領域４４とを有している。
【００３５】
装飾領域４４には、他の装飾４０と同様に表示部２６におけるゲームの内容と関連づけられた所定のキャラクタ等の装飾４８が施されるようになっている。
【００３６】
書き込み領域４６は、図２に示すように、装飾領域４４と隣接して設けられた貼り付け領域５４に、表面に書き込み可能な書き込みシート５０を貼り付けて構成されるようになっている。
【００３７】
貼り付け領域５４の周囲には、貼り付けされる書き込みシート５０を囲むように書き込み領域を示す凸状の枠５２が形成された状態となっている。
【００３８】
このように、枠５２を設けることで、書き込みできる領域を明瞭にすることができ、しかも、書き込んだ内容をアピールすることができる。
【００３９】
なお、枠５２は書き込みできる領域を明瞭にできるものであれば、凸状でなく、線等を印刷したものでも良い。
【００４０】
また、枠５２によって囲まれた貼り付け領域５４には、予め文字等のメッセージ５６が印刷された状態となっている。
【００４１】
例えば、本実施の形態では、「新製品  やってみる〜？」というメッセージを印刷して新製品をアピールするようになっている。
【００４２】
なお、メッセージ５６を予め印刷せず、無地のままにしても良い。
【００４３】
書き込みシート５０は、押し付けることで自らベース部４８に密着して貼着される材質のものを用いているが、何度も貼り付け、剥離可能なものであれば貼着手段は問わない。
【００４４】
書き込みシート５０は、書き込みの消去が可能な素材でコーティングされた状態となっており、書き込みシート５０の表面には、マーカー等により容易に書き込みができるようになっている。
【００４５】
しかも、書き込み内容の消去、再書き込みが何度でもできるようになっている。
【００４６】
このように、一部に書き込み領域４６を設け、この書き込み領域４６に書き込みを行うことで、別途紙等に書いて貼ることなく、一定の固定された表示以外の表示を容易に行うことができ、しかも、書き込み内容の消去、再書き込み可能にすることで、その時々に応じて変動する内容のものを何度でも容易に表示することができる。
【００４７】
また、枠５２で囲まれた貼り付け領域５４に予めメッセージ５６を印刷し、その上から書き込みシート５０を貼着可能にすることで、印刷するメッセージの内容を通常時の表示とし、その時々で変化する表示を貼付する書き込みシート５０に書き込むことで、通常時の表示と変化する表示とを使い分けて対応することができることとなる。
【００４８】
さらに、本実施の形態では、書き込みシート５０に加え、図３に示すような予め印刷が施された複数枚の印刷シート５８が準備され、各印刷シート５８がベース部４８に貼り付け可能にしている。
【００４９】
例えば、図３（１）に示す印刷シート５８には、「おねいさん  専用台だゾ♪」という専用台の告知を行うメッセージ６０が印刷され、同図（２）に示す印刷シート５８には、「６時から  タイムサービス！」というサービスの告知を行うメッセージ６２が印刷され、同図（３）に示す印刷シート５８には、「夏休み限定  イベント中！」というイベントの告知を行うメッセージ６４が印刷され、同図（４）に示す印刷シート５８には、「今日は  体育の日だゾ」という季節に合わせたメッセージ６６が印刷されるようになっている。
【００５０】
このように、予め複数の所定のメッセージを複数枚印刷シート５８として用意しておくことで、定型の印刷シート５８を取り替えるだけで、表示内容を容易に変更することが可能となる。
【００５１】
本考案は、前記実施の形態に限定されるものではなく、本考案の要旨の範囲内において種々の形態に変形可能である。
【００５２】
例えば、前記実施の形態では、メダルゲーム機に遊技機用装飾具を取り付けた場合について説明したが、この例に限定されるものではなく、景品獲得ゲーム機等の遊技機に取り付けることも可能である。
【００５３】
この場合、獲得する景品をアピールするメッセージや表示内容とすることができる。
【図面の簡単な説明】
【００５４】
【図１】本考案の一実施の形態にかかる遊技機用装飾具を取り付けたメダルゲーム機を示す全体斜視図である。
【図２】図１の書き込み領域の詳細を示す拡大斜視図である。
【図３】（１）〜（４）は、それぞれ異なるメッセージを印刷した印刷シートを示す正面図である。
【符号の説明】
【００５５】
１０  メダルゲーム機
１２  筐体
４２  遊技機用装飾具
４４  装飾領域
４６  書き込み領域
５０  書き込みシート
５２  枠
５４  貼り付け領域
５６、６０、６２、６４、６６  メッセージ
５８  印刷シート
【図１】
0003130019.tif 000003
【図２】
0003130019.tif 000004
【図３】
0003130019.tif 000005